(57)【特許請求の範囲】
【請求項１】
情報再生装置によって再生される情報を情報記録媒体に記録するための情報記録装置において、
少なくとも一つの第１情報単位を含んでなる第２情報単位を少なくとも一つ含んでなる第３情報単位から構成される記録情報から圧縮多重信号を生成する手段と、
付加情報を生成する手段と、
前記圧縮多重信号及び前記付加情報に対応する付加情報信号から記録信号を生成する手段と、
前記記録信号を前記情報記録媒体に記録する記録手段と、
を備え、
前記付加情報が、前記第２情報単位毎の再生許可レベルを示すレベル識別情報と、前記第３情報単位毎で且つ前記再生許可レベルが適用される地域毎に前記再生許可レベルの範囲を規定するレベル識別情報と、を含み、
更に二種類の前記レベル識別情報のうち少なくともいずれか一方は、当該一方に対応する情報単位を構成する下位階層の情報単位全てに適用される前記再生許可レベルを示すことを特徴とする情報記録装置。
【請求項２】
前記二種類のレベル識別情報は、同一のビット数を有するマルチビットデータ列からなり、
各前記レベル識別情報においては、前記下位階層の情報単位全てに適用される前記再生許可レベルが、前記下位階層の情報単位に対応する前記再生許可レベルのＯＲ値により表現されていることを特徴とする請求項１に記載の情報記録装置。
【請求項３】
前記再生許可レベルの範囲を規定する前記レベル識別情報は、複数の国毎の再生許可レベルの範囲を規定することを特徴とする請求項１又は２に記載の情報記録装置。
【請求項４】
前記付加情報は、前記再生許可レベルの範囲を規定する前記レベル識別情報に対応する国の数を示す情報を含むことを特徴とする請求項３に記載の情報記録装置。
【請求項５】
前記付加情報は、前記再生許可レベルの範囲を規定する前記レベル識別情報の各々に対応する国名を表すコードと、当該国に対応する前記レベル識別情報の開始アドレスと、を含むことを特徴とする請求項３又は４に記載の情報記録装置。
【請求項６】
前記記録手段は、各前記レベル識別情報を、前記情報記録媒体上において前記情報単位が記録される領域とは異なる再生管理領域に記録することを特徴とする請求項１乃至５のいずれか一項に記載の情報記録装置。
【請求項７】
情報再生装置によって再生される情報を情報記録媒体に記録するための情報記録方法において、
少なくとも一つの第１情報単位を含んでなる第２情報単位を少なくとも一つ含んでなる第３情報単位から構成される記録情報から圧縮多重信号を生成する工程と、
付加情報を生成する工程と、
前記圧縮多重信号及び前記付加情報に対応する付加情報信号から記録信号を生成する工程と、
前記記録信号を前記情報記録媒体に記録する記録工程と、
を含み、
前記付加情報が、前記第２情報単位毎の再生許可レベルを示すレベル識別情報と、前記第３情報単位毎で且つ前記再生許可レベルが適用される地域毎に前記再生許可レベルの範囲を規定するレベル識別情報と、を含み、
更に二種類の前記レベル識別情報のうち少なくともいずれか一方は、当該一方に対応する情報単位を構成する下位階層の情報単位全てに適用される前記再生許可レベルを示すことを特徴とする情報記録方法。
【請求項８】
前記二種類のレベル識別情報は、同一のビット数を有するマルチビットデータ列からなり、
各前記レベル識別情報においては、前記下位階層の情報単位全てに適用される前記再生許可レベルが、前記下位階層の情報単位に対応する前記再生許可レベルのＯＲ値により表現されていることを特徴とする請求項７に記載の情報記録方法。
【請求項９】
前記再生許可レベルの範囲を規定する前記レベル識別情報は、複数の国毎の再生許可レベルの範囲を規定することを特徴とする請求項７又は８に記載の情報記録方法。
【請求項１０】
前記付加情報は、前記再生許可レベルの範囲を規定する前記レベル識別情報に対応する国の数を示す情報を含むことを特徴とする請求項９に記載の情報記録方法。
【請求項１１】
前記付加情報は、前記再生許可レベルの範囲を規定する前記レベル識別情報の各々に対応する国名を表すコードと、当該国に対応する前記レベル識別情報の開始アドレスと、を含むことを特徴とする請求項９又は１０に記載の情報記録方法。
【請求項１２】
前記記録工程においては、各前記レベル識別情報を、前記情報記録媒体上において前記情報単位が記録される領域とは異なる再生管理領域に記録することを特徴とする請求項７乃至１１のいずれか一項に記載の情報記録方法。
【請求項１３】
少なくとも一つの第１情報単位を含んでなる第２情報単位を少なくとも一つ含んでなる第３情報単位から構成される記録情報と、付加情報と、が記録されている情報記録媒体であって、当該付加情報が、前記第２情報単位毎の再生許可レベルを示すレベル識別情報と、前記第３情報単位毎で且つ前記再生許可レベルが適用される地域毎に前記再生許可レベルの範囲を規定するレベル識別情報と、を含み、更に二種類の前記レベル識別情報のうち少なくともいずれか一方は、当該一方に対応する情報単位を構成する下位階層の情報単位全てに適用される前記再生許可レベルを示す情報記録媒体から情報を再生するための情報再生装置であって、
前記情報記録媒体から各前記レベル識別情報を読み出す読出手段と、
情報単位を再生する再生手段と、
読み出された各前記レベル識別情報に基づいて、前記再生手段による前記情報単位の再生を制御する再生制御手段と、
を備えることを特徴とする情報再生装置。
【請求項１４】
前記再生許可レベルを選択するための選択手段と、
前記再生手段による前記情報単位の再生可否を、前記選択手段により選択された前記再生許可レベルと、前記読出手段により読み出された各前記レベル識別情報と、に基づいて判定する判定手段と、
を更に備え、
前記再生制御手段は、前記判定手段により前記情報単位の再生が許可されていると判定された場合に、前記再生手段による前記情報単位の再生を許可するように制御することを特徴とする請求項１３に記載の情報再生装置。
【請求項１５】
前記再生許可レベルを選択するための選択手段と、
前記再生手段による前記情報単位の再生可否を、前記選択手段により選択された前記再生許可レベルと、前記読出手段により読み出された各前記レベル識別情報と、に基づいて判定する判定手段と、
を更に備え、
前記再生制御手段は、前記判定手段により前記情報単位の再生が禁止されていると判定された場合に、前記再生手段による前記情報単位の再生を禁止することを特徴とする請求項１３に記載の情報再生装置。
【請求項１６】
前記二種類のレベル識別情報は、同一のビット数を有するマルチビットデータ列からなり、各前記レベル識別情報においては、前記下位階層の情報単位全てに適用される前記再生許可レベルが、前記下位階層の情報単位に対応する前記再生許可レベルのＯＲ値により表現されていることを特徴とする請求項１３から１５のいずれか一項に記載の情報再生装置。
【請求項１７】
前記再生許可レベルの範囲を規定する前記レベル識別情報から、自身が予め設定されている再生許可レベルに対応する前記レベル識別情報を抽出する抽出手段と、
前記第２情報単位毎の前記再生許可レベルを示す前記レベル識別情報と、前記抽出されたレベル識別情報と、をビット毎に比較する比較手段と、
を更に備え、
前記再生制御手段は、前記第２情報単位毎の前記再生許可レベルを示す前記レベル識別情報が前記抽出されたレベル識別情報内に含まれている場合のみ、当該第２情報単位の前記再生手段による再生を行わせるように制御することを特徴とする請求項１３から１６のいずれか一項に記載の情報再生装置。
【請求項１８】
前記再生許可レベルの範囲を規定する前記レベル識別情報は、複数の国毎の再生許可レベルの範囲を規定することを特徴とする請求項１３から１７のいずれか一項に記載の情報再生装置。
【請求項１９】
前記再生許可レベルの範囲を規定する前記レベル識別情報は前記情報記録媒体の再生管理領域に記録されており、
前記再生管理領域は、当該再生管理領域に記録されてい前記レベル識別情報に対応する国の数を示す情報を含んでいることを特徴とする請求項１８に記載の情報再生装置。
【請求項２０】
前記再生管理領域には、当該再生管理領域に記録されている前記レベル識別情報に対応する国名を表すコードと、当該国に対応する前記レベル識別情報の開始アドレスと、が記録されていることを特徴とする請求項１９に記載の情報再生装置。
【請求項２１】
前記情報再生装置は、所定の国で使用されるように設定されており、
前記再生制御手段は、前記所定の国に対応する前記レベル識別情報に基づいて前記情報単位の再生を制御することを特徴とする請求項１８乃至２０のいずれか一項に記載の情報再生装置。
【請求項２２】
少なくとも一つの第１情報単位を含んでなる第２情報単位を少なくとも一つ含んでなる第３情報単位から構成される記録情報と、付加情報と、が記録されている情報記録媒体であって、当該付加情報が、前記第２情報単位毎の再生許可レベルを示すレベル識別情報と、前記第３情報単位毎で且つ前記再生許可レベルが適用される地域毎に前記再生許可レベルの範囲を規定するレベル識別情報と、を含み、更に二種類の前記レベル識別情報のうち少なくともいずれか一方は、当該一方に対応する情報単位を構成する下位階層の情報単位全てに適用される前記再生許可レベルを示す情報記録媒体から情報を再生するための情報再生方法であって、
前記情報記録媒体から各前記レベル識別情報を読み出す読出工程と、
情報単位を再生する再生工程と、
読み出された各前記レベル識別情報に基づいて、前記再生工程における前記情報単位の再生を制御する再生制御工程と、
を含むことを特徴とする情報再生方法。
【請求項２３】
前記再生許可レベルを選択する選択工程と、
前記再生工程における前記情報単位の再生可否を、前記選択工程において選択された前記再生許可レベルと、前記読出工程において読み出された各前記レベル識別情報と、に基づいて判定する判定工程と、を更に含み、
前記再生制御工程においては、前記判定工程において前記情報単位の再生が許可されていると判定された場合に、前記再生工程における前記情報単位の再生を許可するように制御することを特徴とする請求項２２に記載の情報再生方法。
【請求項２４】
前記再生許可レベルを選択する選択工程と、
前記再生工程における前記情報単位の再生可否を、前記選択工程において選択された前記再生許可レベルと、前記読出工程において読み出された各前記レベル識別情報と、に基づいて判定する判定工程と、を更に含み、
前記再生制御工程においては、前記判定工程において前記情報単位の再生が禁止されていると判定された場合に、前記再生工程における前記情報単位の再生を禁止することを特徴とする請求項２２に記載の情報再生方法。
【請求項２５】
前記二種類のレベル識別情報は、同一のビット数を有するマルチビットデータ列からなり、各前記レベル識別情報においては、前記下位階層の情報単位全てに適用される前記再生許可レベルが、前記下位階層の情報単位に対応する前記再生許可レベルのＯＲ値により表現されていることを特徴とする請求項２２から２４のいずれか一項に記載の情報再生方法。
【請求項２６】
前記再生許可レベルの範囲を規定する前記レベル識別情報から、自身が予め設定されている再生許可レベルに対応する前記レベル識別情報を抽出する抽出工程と、
前記第２情報単位毎の前記再生許可レベルを示す前記レベル識別情報と、前記抽出されたレベル識別情報と、をビット毎に比較する比較工程と、
を更に含み、
前記再生制御工程においては、前記第２情報単位毎の前記再生許可レベルを示す前記レベル識別情報が前記抽出されたレベル識別情報内に含まれている場合のみ、当該第２情報単位の再生を行わせるように制御することを特徴とする請求項２２から２５のいずれか一項に記載の情報再生方法。
【請求項２７】
前記再生許可レベルの範囲を規定する前記レベル識別情報は、複数の国毎の再生許可レベルの範囲を規定することを特徴とする請求項２２から２６のいずれか一項に記載の情報再生方法。
【請求項２８】
前記再生許可レベルの範囲を規定する前記レベル識別情報は前記情報記録媒体の再生管理領域に記録されており、
前記再生管理領域は、当該再生管理領域に記録されてい前記レベル識別情報に対応する国の数を示す情報を含んでいることを特徴とする請求項２７に記載の情報再生方法。
【請求項２９】
前記再生管理領域には、当該再生管理領域に記録されている前記レベル識別情報に対応する国名を表すコードと、当該国に対応する前記レベル識別情報の開始アドレスと、が記録されていることを特徴とする請求項２８に記載の情報再生方法。
【請求項３０】
前記情報再生方法は、所定の国で使用されるものであり、
前記再生制御工程においては、前記所定の国に対応する前記レベル識別情報に基づいて前記情報単位の再生を制御することを特徴とする請求項２７乃至２９のいずれか一項に記載の情報再生方法。
【発明の詳細な説明】
【技術分野】
【０００１】
本発明は、ＤＶＤに代表される画像、音声等の情報を高密度に記録可能な高密度光ディスク等の情報記録媒体、並びに当該情報記録媒体に情報を記録するための記録装置、及び当該情報記録媒体から情報を再生するための再生装置の技術分野に属する。
【背景技術】
【０００２】
従来は、画像、音声等の情報が記録された光ディスクとしては、いわゆるＬＤ（Laser Disk）、ＣＤ（Compact Disk）等が広く一般化している。
【０００３】
これらのＬＤ等においては、画像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【発明の開示】
【発明が解決しようとする課題】
【０００４】
しかしながら、上記ＬＤ等においては、表示される画像や再生される音声について視聴者が選択枝をもち、当該視聴者がそれらを選択して視聴する等のいわゆるインタラクティブな変化に富んだ再生はできないという問題点があった。
【０００５】
すなわち、例えば、ＬＤに記録されている外国映画を視聴する場合に、画面に表示されている字幕で用いられている言語を選択して（例えば、日本語の字幕と原語の字幕を選択して）表示させたり、又はＣＤに記録されている音楽を聴取する場合に、その音楽の音声を選択する（例えば、英語の歌詞で聞くか或は日本語の歌詞で聞くかを選択する）ことができないのである。
【０００６】
一方、現在、上記従来のＣＤに対して、光ディスク自体の大きさを変えずに記憶容量を約１０倍に向上させた光ディスクであるＤＶＤについての提案や開発が盛んである。一般的に、ＤＶＤではパレンタル制御という機能を有している。パレンタル制御とは、複数のストーリーのうち、親が見せたくない部分をプレーヤが判断して自動的にストーリーの選択・再生を行う制御方法をいう。プレーヤは、自分が再生可能なパレンタルレベルを有し（ユーザが変更可能）、このレベルと一致しているＩＤを有するＰＧＣを選択して再生する。このようなパレンタル制御の機能により、同時進行のマルチストーリーを１枚のディスク内に記録することが可能となっている。しかし、パレンタルレベルは各国毎に異なるため、各国毎に異なるパレンタルレベルに対して同一ディスクを各国対応で再生できるようにすることが必要となる。
【０００７】
そこで、本発明の課題は、各国毎に異なるパレンタルレベルに対して同一ディスクを各国対応で再生できるように情報を記録するための記録装置により情報が記録された情報記録媒体等を提供することにある。
【課題を解決するための手段】
【０００８】
上記の課題を解決するために、請求項１に記載の発明は、情報再生装置によって再生される情報を情報記録媒体に記録するための情報記録装置において、少なくとも一つの第１情報単位を含んでなる第２情報単位を少なくとも一つ含んでなる第３情報単位から構成される記録情報から圧縮多重信号を生成する手段と、付加情報を生成する手段と、前記圧縮多重信号及び前記付加情報に対応する付加情報信号から記録信号を生成する手段と、前記記録信号を前記情報記録媒体に記録する記録手段と、を備え、前記付加情報が、前記第２情報単位毎の再生許可レベルを示すレベル識別情報と、前記第３情報単位毎で且つ前記再生許可レベルが適用される地域毎に前記再生許可レベルの範囲を規定するレベル識別情報と、を含み、更に二種類の前記レベル識別情報のうち少なくともいずれか一方は、当該一方に対応する情報単位を構成する下位階層の情報単位全てに適用される前記再生許可レベルを示すように構成される。
【０００９】
上記の課題を解決するために、請求項７に記載の発明は、情報再生装置によって再生される情報を情報記録媒体に記録するための情報記録方法において、少なくとも一つの第１情報単位を含んでなる第２情報単位を少なくとも一つ含んでなる第３情報単位から構成される記録情報から圧縮多重信号を生成する工程と、付加情報を生成する工程と、前記圧縮多重信号及び前記付加情報に対応する付加情報信号から記録信号を生成する工程と、前記記録信号を前記情報記録媒体に記録する記録工程と、を含み、前記付加情報が、前記第２情報単位毎の再生許可レベルを示すレベル識別情報と、前記第３情報単位毎で且つ前記再生許可レベルが適用される地域毎に前記再生許可レベルの範囲を規定するレベル識別情報と、を含み、更に二種類の前記レベル識別情報のうち少なくともいずれか一方は、当該一方に対応する情報単位を構成する下位階層の情報単位全てに適用される前記再生許可レベルを示すように構成される。
【００１０】
上記の課題を解決するために、請求項１３に記載の発明は、少なくとも一つの第１情報単位を含んでなる第２情報単位を少なくとも一つ含んでなる第３情報単位から構成される記録情報と、付加情報と、が記録されている情報記録媒体であって、当該付加情報が、前記第２情報単位毎の再生許可レベルを示すレベル識別情報と、前記第３情報単位毎で且つ前記再生許可レベルが適用される地域毎に前記再生許可レベルの範囲を規定するレベル識別情報と、を含み、更に二種類の前記レベル識別情報のうち少なくともいずれか一方は、当該一方に対応する情報単位を構成する下位階層の情報単位全てに適用される前記再生許可レベルを示す情報記録媒体から情報を再生するための情報再生装置であって、前記情報記録媒体から各前記レベル識別情報を読み出す読出手段と、情報単位を再生する再生手段と、読み出された各前記レベル識別情報に基づいて、前記再生手段による前記情報単位の再生を制御する再生制御手段と、を備える。
上記の課題を解決するために、請求項２２に記載の発明は、少なくとも一つの第１情報単位を含んでなる第２情報単位を少なくとも一つ含んでなる第３情報単位から構成される記録情報と、付加情報と、が記録されている情報記録媒体であって、当該付加情報が、前記第２情報単位毎の再生許可レベルを示すレベル識別情報と、前記第３情報単位毎で且つ前記再生許可レベルが適用される地域毎に前記再生許可レベルの範囲を規定するレベル識別情報と、を含み、更に二種類の前記レベル識別情報のうち少なくともいずれか一方は、当該一方に対応する情報単位を構成する下位階層の情報単位全てに適用される前記再生許可レベルを示す情報記録媒体から情報を再生するための情報再生方法であって、前記情報記録媒体から各前記レベル識別情報を読み出す読出工程と、情報単位を再生する再生工程と、読み出された各前記レベル識別情報に基づいて、前記再生工程における前記情報単位の再生を制御する再生制御工程と、を含む。
【発明を実施するための最良の形態】
【００１３】
次に、本発明に好適な実施の形態について説明する。なお、以下に説明する実施の形態は、上記ＤＶＤに対して本発明を適用した実施の形態について説明するものである。
【００１４】
なお、以下の実施の形態においては、下記リストの左側に示した特許請求の範囲における各構成要素の一例が、下記リストの右側に示した要素から夫々構成されている。
【００１５】
データグループ  ：タイトル
再生許可レベル  ：パレンタル（Parantal）ＩＤ
再生管理領域    ：ビデオマネージャ
再生許可範囲情報：パレンタルマネージメントテーブル
（Ｉ）情報記録媒体の実施の形態
始めに、本発明が適用された情報記録媒体の実施の一形態であるＤＶＤの物理的及び論理的な構成並びにその動作について、図１乃至図２を用いて説明する。
【００１６】
始めに、映像情報及び音声情報のＤＶＤ上における記録フォーマット（物理的記録フォーマット）について、図１を用いて説明する。
【００１７】
図１に示すように、実施形態のＤＶＤ１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ３（ＶＴＳ＃１乃至ＶＴＳ＃ｎ）に分割されて記憶されている。ここで、ＶＴＳ（Video Title Set）とは、関連する（音声、サブピクチャのストリーム数や、仕様、対応言語などの属性が同じ）タイトル（映画等の、製作者が視聴者に提示しようとする一つの作品）を一まとめにしたセット（まとまり）であり、より具体的には、例えば、一本の同じ映画について、異なる言語の複数の映画が夫々にタイトルとして記録されたり、又は、同じ映画であっても劇場版と特別版とが夫々別のタイトルとして記憶されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録される。
【００１８】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００１９】
ＶＴＳ３の先頭に記録されるコントロールデータ１１には、複数のセル（セルについては後述する。）を組合わせた論理的区分であるプログラムチェインに関する種々の情報であるＰＧＣＩ（Program Chain Information）等の情報が記録される。また、各ＶＯＢ１０には、制御情報の他に映像情報及び音声情報の実体部分（制御情報以外の映像又は音声そのもの）が記録されている。
【００２０】
更に、一のＶＯＢ１０は、夫々にＩＤ番号を有する複数のセル２０により構成されている。ここで、一のＶＯＢ１０は、複数のセル２０により完結するように構成されており、一のセル２０が二のＶＯＢ１０に跨がることはない。
【００２１】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）の夫々を含む情報単位である。
【００２２】
そして、一のＶＯＢユニット３０は、ナビパック４１と、映像情報を有しているビデオパック４２と、音声情報を有しているオーディオパック４３と、副映像情報を有しているサブピクチャパック４４とにより構成されている。ここで、ビデオパック４２としては画像データの含まれるパケットが記録され、オーディオパック４３としては音声データの含まれるパケットが記録される。また、サブピクチャパック４４としては副映像としての文字や図形等のグラフィックデータの含まれるパケットが記録される。なお、ＤＶＤ１に記録可能な音声は８種類であり、記録可能な副映像の種類は３２種類であることが規格上定められている。
【００２３】
また、一のＶＯＢユニット３０に対応する再生時間（一のナビパック４１と当該一のナビパック４１に隣接するナビパック４１との間に記録されているデータに対応する再生時間）は、０．４秒以上の長さを有するように記録される。さらに、一のＶＯＢユニットにおいてナビパック４１は必ず先頭に存在するが、ビデオパック４２、オーディオパック４３、サブピクチャパック４４の夫々は必ずしも存在する必要はなく、存在する場合であってもその数及び順序は任意である。
【００２４】
最後に、ナビパック４１は、表示させたい映像や音声等を検索するための検索情報（具体的には、当該表示させたい映像や音声等が記録されているＤＶＤ１上のアドレス等）であるＤＳＩ（Data Search Information）パケット５１と、ＤＳＩパケット５１に基づいて検索してきた映像や音声等を表示する際の表示制御に関する情報であるＰＣＩ（Presentation Control Information）パケット５０とにより構成され、更に、一のＶＯＢＵに含まれる全てのビデオデータは、１個以上のＧＯＰ（Group Of Picture）５２により構成されている。なお、ＰＣＩパケット５０には、視聴者によって選択される選択項目に対してその項目が選択されたときの表示や動作を定義したハイライト情報が含まれている。ハイライト情報によって例えば視聴者が選択すべき項目を表した画像（いわゆるメニュー画面）における、選択された項目に対する画面表示の変化や変化すべき表示位置及び選択した項目に対応するコマンド（選択された項目に対応して実行される命令）の設定が行われる。
【００２５】
ここで、メニュー画面を構成して表示するために必要な、枠、選択ボタン等を構成して表示するための画像情報は、上記の副映像情報としてサブピクチャパック４４に記録される。
【００２６】
更に、上記ＧＯＰ５２は、本実施の形態におけるＤＶＤ１に画像情報を記録する際に採用されている画像圧縮方式であるＭＰＥＧ２（Moving Picture Experts Group ２）方式の規格において定められている単独で再生可能な最小の画像単位である。
【００２７】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算にて生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００２８】
更に、上記ＧＯＰ５２について図２を用いてその概要を説明する。なお図２は、一のＧＯＰ５２を構成する複数のフレーム画像の例を示している。図２では、一のＧＯＰ５２が１２枚のフレーム画像から構成されている場合（ＭＰＥＧ２方式では、一のＧＯＰ５２に含まれるフレーム画像数は一定ではない。）を示しているが、この内、符号「Ｉ」で示されるフレーム画像は、Ｉピクチャ（Intra-coded picture：イントラ符号化画像）と呼ばれ、自らの画像のみで完全なフレーム画像を再生することができるフレーム画像をいう。また、符号「Ｐ」で示されるフレーム画像は、Ｐピクチャ（Predictive-codedpicture：前方予測符号化画像）と呼ばれ、既に復号化されたＩピクチャ又は他のＰピクチャに基づいて補償再生された予測画像との差を復号化する等して生成する予測画像である。また、符号「Ｂ」で示されるフレーム画像は、Ｂピクチャ（Bidirectionallypredictive-coded picture：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。図２においては、各ピクチャ間の予測関係（補間関係）を矢印で示している。
【００２９】
なお、本実施形態におけるＤＶＤ１で用いるＭＰＥＧ２方式においては、夫々のＧＯＰ５２に含まれるデータ量が一定でない可変レート方式を採用している。すなわち、一のＧＯＰ５２に含まれる各ピクチャが、動きの速い動画に対応しており、各ピクチャ間の相関関係が小さい場合には、各ピクチャを構成するためのデータ量が多くなり、従って、一のＧＯＰ５２に含まれるデータ量も多くなる。一方、一のＧＯＰ５２に含まれる各ピクチャが、あまり動きのない動画に対応しており、各ピクチャ間の相関関係が大きい場合には、各ピクチャを構成するためのデータ量も少なくなり、一のＧＯＰ５２に含まれるデータ量も少なくなることとなる。
【００３０】
以上説明した図１に示す階層構造の記録フォーマットにおいて、夫々の区分は、製作者がその意図に応じて自在に区分設定をして記録させることができる。これらの区分毎に後述の論理構造に基づいて再生することにより、変化に富んだ種々の再生が可能となるのである。
【００３１】
次に、図１に示す物理的な区分により記録された情報を組合わせた論理的フォーマット（論理構造）について図３を用いて説明する。なお、図３に示す論理構造は、その構造で実際にＤＶＤ１上に情報が記録されているのではなく、図３に示す論理構造で図１に示す各データ（特にセル２０）を組合わせて再生するための情報（アクセス情報又は時間情報等）がＤＶＤ１上の、特にコントロールデータ１１の中に記録されているものである。
【００３２】
説明の明確化のために、図３の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが、区分を識別してコマンドによってアクセスできる最小の論理的単位でもある。なお、このプログラム６０を１個以上まとめたものを視聴者が自由に選択して視聴することができる最小単位として製作者が定義することもでき、この単位をＰＴＴ（Part Of Title）という。
【００３３】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを行うことも可能となっている。
【００３４】
ここで、一のセル２０の番号については、当該セル２０を図１に示す物理フォーマットにおいて取り扱う際にはセルＩＤ番号として扱われ（図１中、セルＩＤ＃と示す。）、図３に示す論理フォーマットにおいて取り扱う際には、後に述べるＰＧＣＩ中の記述順にセル番号として扱われる。
【００３５】
次に、複数のプログラム６０を組合わせて一のＰＧＣ（Program Chain）６１が製作者の意図に基づいて論理上構成される。このＰＧＣ６１の単位で、前述したＰＧＣＩ（Program Chain Information）が定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、各プログラム６０の再生方式［（本実施形態のＤＶＤ１に情報を記録する際には、再生時において、ランダム再生（乱数によるランダム再生であり、同じプログラム６０が複数回再生されることがある。）、シャッフル再生（ランダム再生と同様の乱数によるランダム再生であるが、同じプログラム６０は一度しか再生されず、同じプログラム６０が複数回再生されることはない。）又はループ再生（一つのＰＧＣ６１を何度も再生すること。）のうち、いずれか一つまたは、ループ再生、ランダム再生またはシャッフル再生の組み合わせによる再生方法をＰＧＣ６１毎に製作者が選択して再生させるようにすることができる。）及び各種コマンド（ＰＧＣ６１またはセル２０毎に製作者が指定可能なコマンド）が含まれている。なお、ＰＧＣＩのＤＶＤ１上の記録位置は、上述の通り、コントロールデータ１１内ではあるが、或いは、ビデオマネージャ２内のコントロールデータ（図示せず）内である（図１参照）。
【００３６】
また、一のＰＧＣ６１には、上記ＰＧＣＩの他に、実体的な画像及び音声等のデータがプログラム６０の組合わせとして（換言すれば、セル２０の組合わせとして）含まれることとなる。
【００３７】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記憶されている順番にセル２０を再生する方法（連続配置セルの再生）の他に、ＤＶＤ１に記憶されている順序に関係なく再生する（例えば、後に記録されているセル２０を先に再生する等）方法（非連続配置セルの再生）を製作者が選択することができる。
【００３８】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００３９】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。また、図３に示す一のＶＴＳ６３に相当する情報は、図１に示す一のＶＴＳ３に含まれている情報に対応している。すなわち、ＤＶＤ１には、図３に示す論理上のＶＴＳ６３内に含まれる全ての情報が一のＶＴＳ３として記録されていることとなる。
【００４０】
以上説明した論理フォーマットに基づいて、物理構造において区分された情報を製作者が指定することにより、視聴者が見るべき画像（映画等）が形成されるのである。
【００４１】
なお、図１に示す物理構造の説明においては、内容の理解の容易化のため、複数のセル２０がＩＤ番号の順に記録されているとして説明したが、実施形態のＤＶＤ１においては、実際には、一のセル２０が図４に示す複数のインターリーブドユニットＩＵに分割されて記録される場合がある。
【００４２】
すなわち、例えば図４に示すように、製作者が一のＰＧＣ６１ＡをＩＤ番号１、２及び４を有するセル２０により構成し、他のＰＧＣ６１ＢをＩＤ番号１、３及び４を有するセル２０により構成する場合を考えると、当該ＰＧＣ６１Ａに基づいてＤＶＤ１から情報を再生する際には、ＩＤ番号１、２及び４を有するセル２０のみを再生し、ＰＧＣ６１Ｂに基づいてＤＶＤ１から情報を再生する際には、ＩＤ番号１、３及び４を有するセル２０のみを再生することとなる。この場合に、セル２０がＩＤ番号毎に分離して記録されていると、例えば、ＰＧＣ６１Ａの場合には、ＩＤ番号２のセル２０のＤＶＤ１上の記録位置からＩＤ番号４のセル２０ＤＶＤ１上の記録位置まで、再生のためのピックアップをジャンプする時間が必要となり、後述の再生装置におけるトラックバッファの容量によっては、ＩＤ番号２のセル２０とＩＤ番号４のセル２０を連続的に再生すること（以下、これをシームレス再生という。）ができなくなる。
【００４３】
そこで、図４に示す場合には、ＩＤ番号２のセル２０とＩＤ番号３のセル２０を、上記トラックバッファにおける入出力処理の速度に対応して、一時的に入力信号の入力が停止しても、出力信号の連続性が損なわれない長さのインターリーブドユニットＩＵ（すなわち、一のインターリーブドユニットＩＵの間だけピックアップがジャンプすることによりトラックバッファへの入力信号が途絶えても、当該トラックバッファからの出力信号を連続的に出力可能な長さのインターリーブドユニットＩＵ）に夫々分解して記録し、例えば、ＰＧＣ６１Ａに基づいて再生する場合には、ＩＤ番号２に対応するセル２０を構成するインターリーブドユニットＩＵのみを連続して検出し、再生することが行われる。同様に、ＰＧＣ６１Ｂに基づいて再生する場合には、ＩＤ番号３に対応するセル２０を構成するインターリーブドユニットＩＵのみを連続して検出し、再生するのである。なお、インターリーブドユニットＩＵの長さは、上述のように、トラックバッファの容量を勘案して決定される他に、トラックジャンプを行うためのスライダモータ等の駆動機構の性能をも加味して決定される場合がある。
【００４４】
このように、製作者の意図によって、一のセル２０を複数のインターリーブドユニットＩＵに分割して記録しておくことにより、飛び飛びのＩＤ番号のセル２０を含むＰＧＣ６１を再生する際にも、トラックバッファから出力される信号は途切れることはなく、従って、視聴者は中断することのない再生画像を視聴することができるのである。
【００４５】
なお、上記インターリーブドユニットＩＵを形成する際には、一のＶＯＢ１０内で完結するように形成され、一のインターリーブドユニットＩＵが隣り合う複数のＶＯＢ１０に跨がることはない。また、インターリーブドユニットＩＵとＶＯＢユニット３０との関係については、一のインターリーブドユニットＩＵ内に一又は複数のＶＯＢユニット３０が含まれ、一のインターリーブドユニットＩＵ内においては一のＶＯＢユニット３０が完結するように構成されており、一のＶＯＢユニット３０が分割されて複数のインターリーブドユニットＩＵに跨がることはない。
【００４６】
次に、上記の物理構造及び論理構造を有する画像情報及び音声情報のうち、特に本発明に係る（パレンタルマネージメントテーブル及びパレンタルＩＤ）について詳細に説明する。
【００４７】
図５に、各ビデオタイトルセット毎のアメリカ及び日本のパレンタルレベルと、タイトルパレンタルＩＤとの対応関係の一例を示す。パレンタルレベルとは、例えば、日本では映倫の成人向け（Ｏ１８）及び一般向け（Ｕ１７）の２レベルで運営され、アメリカでは現在Ｘ、Ｒ、ＮＣ１７、ＰＧ１３、ＰＧ、Ｇの６レベルで運営されている。ここでは、日本及びアメリカ向けに作成したディスクが１つのＶＴＳとして５つのタイトルＴ１〜Ｔ５を有し、タイトルＴ１、Ｔ２、Ｔ３、Ｔ４及びＴ５が、図５に示された各パレンタルレベルに対して、それぞれタイトルパレンタルＩＤとして５，０，４，３，５を有しているものとする。Ｔ２、Ｔ３及びＴ４は、日本のパレンタルレベルは全てＵ１７であるが、アメリカでのパレンタルレベルが異なっているため、パレンタルＩＤが異なっている。
【００４８】
図５に示す対応関係に基づき作成したパレンタルマネージメントテーブル（パレンタルレベルとタイトルパレンタルＩＤとの対比表（ＰＴＭ））の一例を図６に示し、各タイトルパレンタルＩＤの一例を図７に示す。
【００４９】
図６の各ＩＤ指定欄には、国毎の各レベル（ＬＶＬ＃１〜６）で再生することのできるタイトルパレンタルＩＤのＩＤ番号を１として記述する。ここで、各レベルは、ＬＶＬ＃１から順にリニアでレベルの高い順に並んでいる。すなわち、レベル１が選択された場合にはレベル２〜６で再生可能なタイトルはすべて再生可能である。当該実施の形態において、パレンタルマネージメントテーブルは、ビデオマネージャ２内のボリュームインフォメーションファイルにパレンタルマネージメントインフォメーションテーブル（ＰＩＮＦ）として格納されているものとするが、ディスク内の任意の位置にまとめて配置することができる。
【００５０】
図７に示す各タイトルパレンタルＩＤは、該当するＩＤにフラグ１を立てることによって表示される。例えば、タイトルＴ１の場合、タイトルパレンタルＩＤが５であるため、ＩＤ５にフラグ１が立っているアメリカレベルのＬＶＬ＃１または＃２が選択された場合または日本レベルのＬＶＬ＃１が選択された場合に再生可能である。当該実施の形態では、タイトルパレンタルＩＤは、タイトルのインフォメーションテーブル内に記述されているものとするが、ディスク内の任意の位置に配置することができる。例えば、各タイトルパレンタルＩＤをビデオマネージャ２内のタイトルをアクセスするためのアクセステーブル内に記述することもできる。このように、タイトルパレンタルＩＤには各国毎の情報を記述しないで、単に識別のためのＩＤのみを記述しているので、パレンタルレベルに関する情報を記憶するための記憶容量を減少させることができる。
【００５１】
図６及び図７に示すように、パレンタルマネージメントテーブル及びタイトルパレンタルＩＤを設けることによって、再生装置が、設定されたレベル（ＬＶＬ＃）に対応するパレンタルＩＤ（ＩＤＡ）をディスクのパレンタルマネージメントテーブルから読み出すとともに、選択されたタイトルのパレンタルＩＤ（ＩＤＢ）をディスクから読み出し、ＩＤＢがＩＤＡに含まれる場合に選択されたタイトルを再生する。したがって、各国毎に異なるパレンタルレベルに対して同一のディスクを各国対応で再生できる。
【００５２】
図８に、ビデオマネージャ内に記録される実際のパレンタルマネージメントインフォメーションテーブル（ＰＩＮＦ）の一例を示す。図８に示すＰＩＮＦは、パレンタルマネージメントインフォメーションテーブルの管理テーブル（ＰＩＭＴ）と、複数のパレンタルマネージメントテーブルサーチポインタ（ＰＭＴ−ＳＲＰ）と、複数のパレンタルマネージメントインフォメーションテーブル（ＰＭＴ）とを備えて構成される。
【００５３】
ＰＩＭＴは、ディスク内にパレンタルのインフォメーションを保有している国の数（ＣＴＹ−Ｎｏ．）、ディスク内に記録されているビデオタイトルセットの数（ＶＴＳ−Ｎｏ．）及びＰＩＮＦのエンドアドレス（ＰＩＮＦ−ＥＡ）を有している。
【００５４】
また、各ＰＭＴ−ＳＲＰは、国名を表すコード（ＣＴＹ＿ＣＤ）及びその国の有するパレンタルレベル数（Ｐ−ＬＶＬ−Ｎｏ．）及び該当するＰＭＴのスタートアドレス（ＰＭＴ−ＳＡ）を有している。
【００５５】
各ＰＭＴは、対応する国毎に複数のパレンタルテーブルを最大８個まで有している。また、ＰＴＭ内の各パレンタルレベルには、各ビデオタイトルセット毎にパレンタルＩＤテーブルが格納される。したがって、図６に示すＰＴＭは、図８においてディスク内で対応する国数が、アメリカと日本の２カ国で、且つディスク内にＴ１からＴ５までの５つのタイトルで構成されるビデオタイトルセットが１つのみ（ＶＴＳ＃１のみ）存在する場合のＰＩＮＦ内のＰＴＭの例である。
【００５６】
なお、タイトルパレンタルＩＤを、前記のようにビデオマネージャのタイトルサーチポインタ（ＴＴ−ＳＲＰ）に格納することができる。タイトルサーチポインタの場合、そのタイトルに含まれるＰＧＣのＰＴＬ−ＩＤをすべて「１」とする。
【００５７】
第１の実施例
次に、図９〜図１２を参照して、１タイトルが１ＰＧＣから成り、それぞれ３つのタイトルからなる２つのＶＴＳの例について説明する。図９に示すように、ＶＴＳ＃１は、３つのタイトルＴ１、Ｔ２及びＴ３からなり、ＶＴＳ＃２は、３つのタイトルＴ４、Ｔ５及びＴ６からなる。図５の場合と同様に、パレンタルレベルは、日本では映倫の成人向け（Ｏ１８）及び一般向け（Ｕ１７）の２レベルで運営され、アメリカではＸ、Ｒ、ＮＣ１７、ＰＧ１３、ＰＧ、Ｇの６レベルで運営されているものとする。そして、各タイトルＴ１、Ｔ２、Ｔ３、Ｔ４、Ｔ５及びＴ６のＰＧＣパレンタルＩＤを、それぞれ３，１，５，３，２，４とした場合のパレンタルマネージメントインフォメーションテーブル（ＰＩＮＦ）は、図１０に示すようになる。
【００５８】
図１０に示すパレンタルマネージメントインフォメーションテーブル（ＰＩＮＦ）は、パレンタルマネージメント管理テーブル（ＰＩＭＴ）と、２カ国分（アメリカ及び日本）のパレンタルマネージメントテーブルサーチポインタ（ＰＭＴ−ＳＲＰ）と、２カ国分のパレンタルマネージメントテーブル（ＰＭＴ）と、を備えて構成される。
【００５９】
パレンタルマネージメント管理テーブル（ＰＩＭＴ）は、インフォメーションを保有している国の数（ＣＴＹ−Ｎｏ．＝２）、ディスクに記憶されているビデオタイトルセットの数（ＶＴＳ−Ｎｏ．＝２）及びパレンタルマネージメントインフォメーションテーブルのエンドアドレス（ＰＩＮＦ−ＥＡ）を有している。
【００６０】
また、各パレンタルマネージメントテーブルサーチポインタ（ＰＭＴ−ＳＲＰ）は、各国のコード（ＣＴＹ＿ＣＤ）、パレンタルレベルの数（ＰＬＴ−ＬＶＬ−Ｎｏ．）（アメリカの場合は６、日本の場合は２である。）などを有している。
【００６１】
また、各パレンタルマネージメントテーブル（ＰＭＴ）は、図１１に示す通りである（図１１の※部分である）。図１１において、矢印は同一内容であることを示している。
【００６２】
当該第１の実施例では、タイトルサーチポインタ（ＴＴ−ＳＲＰ）は、ＰＧＣが１個なので、そのＰＴＬ−ＩＤは、図１２（Ａ）に示すようになる。したがって、アメリカで、プレーヤがＰＧ１３にレベル設定されている場合、図１１に示すＰＭＴから、図１２（Ｂ）に示すようにＶＴＳ＃１はＴ１及びＴ２のみが再生可能であり、ＶＴＳ＃２はＴ４のみが再生可能である。
【００６３】
第２の実施例
次に、図１３及び図１４を参照して、１タイトルが２ＰＧＣから成り、アメリカレベルで図１３に示す３つのレベル（３つのＩＤ）を有している例について説明する。
【００６４】
図１３に示すように、ＶＴＳ＃１は、２つのタイトルＴ１及びＴ２からなる。タイトルＴ１の第１ＰＧＣはＩＤ＝３からなり、第２ＰＧＣはＩＤ＝１からなる。また、タイトルＴ２の第１ＰＧＩはＩＤ＝１からなり、第２ＰＧＩはＩＤ＝５からなるものとする。
【００６５】
このようにＩＤを構成すると、ＰＭＴは図１４（Ａ）のようになる。すなわち、レベル１の場合（ａ）には、ＩＤ１，３，５に「１」を記述し、レベル２、３または４の場合（ｂ）には、ＩＤ１，３に「１」を記述し、レベル５または６の場合（ｃ）には、ＩＤ１に「１」を記述する。
【００６６】
また、ＶＴＳ＃１のＴＴ−ＳＲＰのＰＬＴ−ＩＤは図１４（Ｂ）のようになる。すなわち、Ｔ１では、ＩＤ１，３に「１」を記述し、Ｔ２では、ＩＤ１，５に「１」を記述する。
【００６７】
アメリカレベル２（Ｒ）に設定されたプレーヤの場合、図１４（Ｃ）に示すように、図１４（Ａ）の（ａ）の場合のＰＭＴからＶＴＳ＃１に対して、ＩＤ番号１，３のフラグが１であるタイトルパレンタルＩＤを有しているタイトルが再生可能となる。したがってＴ１はそのパレンタルＩＤのＩＤ番号１及び３のフラグのみが１であるため再生可能であるが、Ｔ２はそのパレンタルＩＤのＩＤ番号５のフラグが１であり再生不能である。
【００６８】
このようにパレンタルレベルをＩＤ付けすることによって、各国別のパレンタルに対応するテーブルの情報量を減少させることができる。また、当該テーブルを一箇所にまとめて記述することによって記憶容量を減少させることができる。さらに、各国毎にソフト製作者の意図で自由にＩＤ付けを行うことができ、ＩＤ付けに関して規制を設ける必要がないとともに、レベルの変更にも対応できる。
【００６９】
なお、上記ＤＶＤは、例えば、一本の映画を記録する他に、当該映画に対応する字幕について、複数種類の言語の字幕をも同一の光ディスクに記録することが可能な記憶容量を有しているので、上記の記録フォーマットは、特にＤＶＤ１に対して適用することが効果的である。
（II）記録装置の実施形態
次に、上述の制御情報、画像情報及び音声情報をＤＶＤ１に記録するための記録装置の実施形態について、図１５を用いて説明する。
【００７０】
始めに、図１５を用いて、実施形態の記録装置の構成及び動作について説明する。
【００７１】
図１５に示すように、実施形態に係る記録装置Ｓ1は、ＶＴＲ（Video Tape Recorder）７０と、メモリ７１と、信号処理部７２と、ハードディスク装置７３と、ハードディスク装置７４と、コントローラ７５と、多重器７６と、変調器７７と、マスタリング装置７８とにより構成されている。
【００７２】
次に、動作を説明する。
【００７３】
ＶＴＲ７０には、ＤＶＤ１に記録すべき音楽情報や映像情報等の素材である記録情報Ｒが一時的に記録されている。そして、ＶＴＲ７０に一時的に記録された記録情報Ｒは、信号処理部７２からの要求により当該信号処理部７２に出力される。
【００７４】
信号処理部７２は、ＶＴＲ７０から出力された記録情報ＲをＡ／Ｄ変換した後、ＭＰＥＧ２方式により圧縮処理し、音楽情報と映像情報とを時間軸多重して圧縮多重信号Ｓrとして出力する。その後、出力された圧縮多重信号Ｓrは、ハードディスク装置７３に一時的に記憶される。
【００７５】
これらと並行して、メモリ７１は、上記記録情報Ｒを部分記録情報Ｐrに予め区分し、それぞれの部分記録情報Ｐrに関するパレンタルマネージメントテーブル及びタイトルパレンタルＩＤが記載されたキューシートＳＴに基づき、予め入力された当該部分記録情報Ｐrに関する内容情報を一時的に記憶し、信号処理部７２からの要求に基づいて内容情報信号Ｓiとして出力する。
【００７６】
そして、信号処理部７２は、ＶＴＲ７０から出力される上記記録情報Ｒに対応したタイムコードＴt及びメモリ７１から出力される内容情報信号Ｓiに基づき、タイムコードＴtを参照して上記部分記録情報Ｐrに対応するアクセス情報信号Ｓacを生成して出力し、当該アクセス情報信号Ｓacがハードディスク装置７４に一時的に記憶される。以上の処理が記録情報Ｒ全体について実行される。
【００７７】
記録情報Ｒの全てについて上記の処理が終了すると、コントローラ７５は、ハードディスク装置７３から圧縮多重信号Ｓrを読み出すとともにハードディスク装置７４からアクセス情報信号Ｓacを読み出し、これらに基づいて付加情報ＤAを生成し、ハードディスク装置７４に記憶する。これは各種制御信号中に圧縮多重信号Ｓrの生成結果によって内容が定まるものがあるからである。一方、コントローラ７５は、上記信号処理部７２、ハードディスク装置７３及びハードディスク装置７４の夫々の動作の時間管理を行い、当該付加情報ＤAに対応する付加情報信号Ｓaをハードディスク装置７４から読み出して出力するとともに、圧縮多重信号Ｓrと付加情報信号Ｓaを時間軸多重するための情報選択信号Ｓccを生成して出力する。
【００７８】
その後、圧縮多重信号Ｓrと付加情報信号Ｓaは、情報選択信号Ｓccに基づき、多重器７６により時間軸多重されて情報付加圧縮多重信号Ｓapとして出力される。
【００７９】
そして、変調器７７は、出力された情報付加圧縮多重信号Ｓapに対してリードソロモン符号等のエラー訂正コード（ＥＣＣ）の付加及び８−１６変調等の変調を施してディスク記録信号Ｓmを生成し、マスタリング装置７８に出力する。
【００８０】
最後に、マスタリング装置７８は、当該ディスク記録信号Ｓmを光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【００８１】
次に、当該実施の形態の特徴部分である、記録装置Ｒによる、付加情報ＤAに基づくパレンタルマネージメントテーブル及びタイトルパレンタルＩＤの記録動作について説明する。
【００８２】
まず、コントローラ７５により、キューシートＳＴにより入力されたパレンタルマネージメントテーブル及びタイトルパレンタルＩＤを指定する内容情報Ｓiに基づき生成されたアクセス情報信号Ｓacに応じたタイミングで、付加情報信号Ｓaを選択すべき旨の情報選択信号Ｓccが出力され、多重器７６は、付加情報信号Ｓa側にスイッチされる。そして、パレンタルマネージメントテーブル及びタイトルパレンタルＩＤは、ビデオマネージャを構成する付加情報信号Ｓaの一部として変調器７７に入力されて、更にディスク記録信号Ｓmの一部としてマスタリング装置７８に入力される。
【００８３】
以上の結果、本実施の形態によれば、ビデオマネージャ内にパレンタルマネージメントテーブル及びタイトルパレンタルＩＤを記録しているマスタディスクを作成することができる。
【００８４】
情報記録媒体の実施の形態において説明した例と同様のフォーマットで、当該記録装置Ｒによって、ビデオマネージャ内にパレンタルマネージメントテーブル及びタイトルパレンタルＩＤを記録することができる。
【００８５】
なお、その他の制御情報に関しても同様にキューシートＳＴから記録される。
（III）再生装置の実施形態
次に、上記の記録装置Ｓ1によりＤＶＤ１に記録された情報を再生するための再生装置の実施形態を、図１６及び図１７を用いて説明する。
【００８６】
始めに、図１６を用いて、実施形態の再生装置の構成及び動作について説明する。
【００８７】
図１６に示すように、実施形態に係る再生装置Ｓ2は、ピックアップ８０と、復調訂正部８１と、ストリームスイッチ８２及び８４と、トラックバッファ８３と、システムバッファ８５と、デマルチプレクサ８６と、ＶＢＶ（Video Buffer Verifier）バッファ８７と、ビデオデコーダ８８と、サブピクチャバッファ８９と、サブピクチャデコーダ９０と、混合器９１と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、システムコントローラ１００と、ドライブコントローラ１０１と、スピンドルモータ１０２と、スライダモータ１０３とにより構成されている。なお、図１６に示す構成は、再生装置Ｓ2の構成のうち、画像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【００８８】
次に、全体動作を説明する。
【００８９】
ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓpを出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【００９０】
ピックアップ８０から出力された検出信号Ｓpは、復調訂正部８１に入力され、復調処理及び誤り訂正処理が行われて復調信号Ｓdmが生成され、ストリームスイッチ８２及びシステムバッファ８５に出力される。
【００９１】
復調信号Ｓdmが入力されたストリームスイッチ８２は、ドライブコントローラ１０１からのスイッチ信号Ｓsw1によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【００９２】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等に、上記のシームレス再生におけるトラックジャンプに起因して不連続に入力される復調信号Ｓdmを連続的に出力し、当該不連続による再生の中断を解消するためのものである。
【００９３】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2により開閉が制御される。
【００９４】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報やＶＴＳ３のコントロールデータ１１を蓄積して制御情報Ｓcとしてシステムコントローラ１００に出力すると共に、情報再生中に必要に応じて上記ナビパック４１毎のＤＳＩパケット５１に含まれる情報を一時的に蓄積し、システムコントローラ１００に制御情報Ｓcとして出力する。
【００９５】
ストリームスイッチ８４を介して復調信号Ｓdmが連続的に入力されたデマルチプレクサ８６においては、当該復調信号Ｓdmから映像情報、音声情報、副映像情報及びナビパック４１毎のＰＣＩパケット５０を分離し、ビデオ信号Ｓv、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、音声情報又は副映像情報として複数の言語が別々のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【００９６】
ビデオ信号Ｓvが入力されるＶＢＶバッファ８７は、ＦＩＦＯメモリ等により構成され、ビデオ信号Ｓvを一時的に蓄積し、ビデオデコーダ８８に出力する。ＶＢＶバッファ８７は、ＭＰＥＧ２方式により圧縮されているビデオ信号Ｓvにおける各ピクチャ（図２参照）毎のデータ量のばらつきを補償するためのものである。そして、データ量のばらつきが補償されたビデオ信号Ｓvがビデオデコーダ８８に入力され、ＭＰＥＧ２方式により復調が行われて復調ビデオ信号Ｓvdとして混合器９１に出力される。
【００９７】
一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれる副映像情報を、当該副映像情報に対応する画像情報と同期して出力するためのものである。そして、映像情報との同期が取られた副映像信号Ｓspがサブピクチャデコーダ９０に入力され、復調が行われて復調副映像信号Ｓspdとして混合器９１に出力される。
【００９８】
なお、副映像信号Ｓspが、メニュー画面を構成して表示するために必要な、枠、選択ボタン等を構成するための画像情報を含んでいる場合には、システムコントローラ１００からのハイライト制御信号Ｓchに基づき、表示すべき選択ボタン等の表示状態の変更を行って出力する。
【００９９】
ビデオデコーダ８８から出力された復調ビデオ信号Ｓvd及びサブピクチャデコーダ９０から出力された復調副映像信号Ｓspd（対応する復調ビデオ信号Ｓvdとの同期が取れている。）は、混合器９１により混合され、最終的な表示すべき画像信号Ｓvpとして図示しないＣＲＴ（Cathode Ray Tube）等の表示部に出力される。
【０１００】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、所定のデコードが施されて復調オーディオ信号Ｓaddとして図示しないスピーカ等に出力される。なお、アクセス直後の再生で一時的に音声を中断する（ポーズする）必要があることが検出された場合には、システムコントローラ１００からポーズ信号Ｓcaがオーディオデコーダ９３に出力され、当該オーディオデコーダ９３において一時的に復調オーディオ信号Ｓaddの出力を停止する。
【０１０１】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩパケット５０と当該ＰＣＩパケット５０に対応する映像情報、音声情報、副映像情報等とを同期させ、当該映像情報、音声情報、副映像情報等にＰＣＩパケット５０を適用させるためのものである。そして、ＰＣＩバッファ９４により対応する映像情報、音声情報、副映像情報等と同期したＰＣＩ信号Ｓpcは、ＰＣＩデコーダ９５によりＰＣＩパケット５０に含まれるハイライト情報が分離され、ハイライト信号Ｓhiとしてハイライトバッファ９６に出力されると共に、ＰＣＩパケット５０のハイライト情報以外の部分がＰＣＩ情報信号Ｓpciとしてシステムコントローラ１００に出力される。
【０１０２】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための画像情報が含まれている副映像信号Ｓspに対応して、ハイライト情報に対応する選択項目の表示状態の変更が正確に行われるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhidとしてシステムコントローラ１００に出力される。ここで、システムコントローラ１００は、当該復調ハイライト信号Ｓhidに基づき、ハイライト情報による表示状態の変更を行うべく、上記のハイライト制御信号Ｓchを出力することとなる。
【０１０３】
システムコントローラ１００は、システムバッファ８５から入力される制御情報Ｓc、ＰＣＩデコーダ９５から入力されるＰＣＩ情報信号Ｓpci及びリモコン等の入力部９８から入力される入力信号Ｓinに基づき、それらの信号に対応した正しい再生を行うために上記のスイッチ信号Ｓsw2、言語選択信号Ｓlc、ポーズ信号Ｓca、ハイライト制御信号Ｓchを出力すると共に、再生装置Ｓ2の動作状況等を表示するために表示信号Ｓdpを液晶表示装置等のディスプレイ９９に出力する。
【０１０４】
更に、システムコントローラ１００は、上記制御信号Ｓcまたは前述のＤＳＩデータ等により、シームレス再生のためにサーチ等のトラックジャンプの処理が必要であることを検出したときには、ドライブコントローラ１０１に対して、当該トラックジャンプの処理に対応するシームレス制御信号Ｓcslを出力する。
【０１０５】
そして、シームレス制御信号Ｓcslが入力されたドライブコントローラ１０１は、スピンドルモータ１０２又はスライダモータ１０３に対して駆動信号ＳDを出力する。この駆動信号ＳDにより、スピンドルモータ１０２又はスライダモータ１０３は、光ビームＢが再生すべきＤＶＤ１上の記録位置に照射されるようにピックアップ２を移動させる（図１６破線矢印参照）と共に、ＤＶＤ１を回転数をＣＬＶ制御する。これと並行して、ドライブコントローラ１０１は、ピックアップ２が移動中であり復調訂正部８１から復調信号Ｓdmが出力されないときには、シームレス制御信号Ｓcslに基づきスイッチ信号Ｓsw1を出力し、ストリームスイッチ８２を開とすると共に、復調信号Ｓdmが出力され始めると、ストリームスイッチ８２を閉として復調信号Ｓdmをトラックバッファ８３に出力する。
【０１０６】
次に、上記再生装置Ｓ2の内、特に本発明に係るシステムコントローラ１００の動作について、図１７に示すフローチャートに基づいて説明する。
【０１０７】
ここでは、再生装置は、予めアメリカ仕様に設定されているものとし、ＤＶＤ１のビデオマネージャ２におけるパレンタルマネージメントインフォメーションテーブル（ＰＩＮＦ）中のパレンタルマネージメントテーブル（ＰＭＴ）が図６に示すパレンタルマネージメントテーブルであり、また、図７に示すタイトルパレンタルＩＤが格納されているものとする。
【０１０８】
図１７において、システムコントローラ１００は、まずパレンタルレベルが選択されたか否かを判断する（ステップＳ２）。ここでは、ここでは、レベル３（ＮＣ１７）が選択されたものとする。パレンタルレベルが選択されると（ステップＳ２，Ｙ）、次にシステムコントローラ１００は、タイトルが選択されたか否かを判断し（ステップＳ４）、タイトルが選択された場合（ステップＳ４，Ｙ）にはタイトルサーチを指令する（ステップＳ６）。その後、システムコントローラ１００は、選択されたレベル３（ＮＣ１７）に相当するパレンタルＩＤ（ＩＤＡ）をディスクのパレンタルマネージメントテーブルから読み出すとともに（ステップＳ８）、選択されたタイトルのパレンタルＩＤ（ＩＤＢ）をディスクから読み出す（ステップＳ１０）。次に、システムコントローラ１００は、ＩＤＢがＩＤＡに含まれているか否かを判断する（ステップＳ１２）。ここで、図６に示すように、レベル３に相当するＩＤＢは、ＩＤ番号４，３，０のフラグが１である。したがって、当該実施の形態では、選択されたタイトルのパレンタルＩＤのＩＤ番号４、３または０のフラグが１であるＩＤＡを有しているか否かが判断される。ＩＤＢがＩＤＡに含まれている場合（ステップＳ１２，Ｙ）、例えば、図７に示すように、パレンタルＩＤのＩＤ番号３のフラグが１であるＴ４が選択された場合にはタイトルの再生が行われ（ステップＳ１４）処理を終了する。一方、ＩＤＢがＩＤＡに含まれていない場合（ステップＳ１２，Ｎ）、例えば、図７に示すように、パレンタルＩＤのＩＤ番号５のフラグが１であるＴ１が選択された場合にはタイトルの再生は行われず、タイトルの再生を行わないことをディスプレイ９９に表示し（ステップＳ１６）処理を終了する。
【０１０９】
このように構成することによって、各国毎の情報をビデオマネージャ内に格納し、タイトルパレンタルＩＤには各国毎の情報を記述せず単に識別のためのＩＤのみを記述しているディスクを再生することができる。当該再生装置によれば、記録された情報を各国毎に異なるパレンタルレベルに対して各国対応で再生することが可能である。
以上夫々説明したように、本願の実施形態によれば、パレンタルレベルに基づき、再生が許可されるタイトルＴのパレンタルレベルの範囲を規定するための情報を纏めて記録しているので、パレンタルレベルを記憶するための記憶容量を減少させることができる。
また、国毎のパレンタルレベルを記録するので、各国毎にソフト製作者の意図で自由にパレンタルレベルの範囲を規定することができ、パレンタルレベルの範囲を規定するに際して規制を設ける必要がないとともに、パレンタルレベルの変更にも対応できる。
【図面の簡単な説明】
【０１１０】
【図１】映像情報及び音声情報のＤＶＤ上における記録フォーマット（物理的記録フォーマット）を説明する図である。
【図２】１つのＧＯＰ５２を構成する複数のフレーム画像の例を示す図である。
【図３】図１に示す物理的な区分により記録された情報を組合わせた論理的フォーマット（論理構造）を示す図である。
【図４】一のセル２０が複数のインターリーブドユニットＩＵに分割されて記録される場合を説明するための図である。
【図５】各ビデオタイトルセット毎のアメリカ及び日本のパレンタルレベルと、パレンタルＩＤとの対応関係の一例を示す図である。
【図６】図５に示す対応関係に基づき作成したパレンタルマネージメントテーブル（パレンタルレベルとパレンタルＩＤとの対比表）の一例を示す図である。
【図７】タイトルパレンタルＩＤの一例を示す図である。
【図８】ビデオマネージャ内に記録される実際のパレンタルマネージメントインフォメーションテーブルの一例を示す図である。
【図９】１タイトルが１ＰＧＣから成り、それぞれ３つのタイトルからなる２つのＶＴＳの例について説明するための図である。
【図１０】パレンタルマネージメントインフォメーションテーブル（ＰＩＮＦ）の一例を示す図である。
【図１１】パレンタルマネージメントテーブル（ＰＭＴ）の一例を示す図である。
【図１２】図１２（Ａ）は、１タイトルが１ＰＧＣのタイトルサーチポインタのパレンタルＩＤの一例を示し、図１２（Ｂ）は、ＰＭＴの一例を示している。
【図１３】１タイトルが２ＰＧＣから成り、３つのレベル（３つのＩＤ）を有している例を説明するための図である。
【図１４】１タイトルが２ＰＧＣからなる図１３の例に対するＰＭＴ及びタイトルサーチポインタのパレンタルＩＤの一例を示す図である。
【図１５】制御情報、画像情報及び音声情報をＤＶＤ１に記録するための記録装置のブロック図である。
【図１６】記録装置Ｓ1によりＤＶＤ１に記録された情報を再生するための再生装置のブロック図である。
【図１７】システムコントローラ１００の動作を示すフローチャートである。
【符号の説明】
【０１１１】
１    ＤＶＤ
２    ビデオマネージャ
３、６３    ＶＴＳ
１０    ＶＯＢ
１１    コントロールデータ
２０    セル
３０    ＶＯＢユニット
４１    ナビパック
４２    ビデオパック
４３    オーディオパック
４４    サブピクチャパック
５０    ＰＣＩパケット
５１    ＤＳＩデータ
５２    ＧＯＰ
６０    プログラム
６１、６１Ａ、６１Ｂ    ＰＧＣ
６２    タイトル
７０    ＶＴＲ
７１    メモリ
７２    信号処理部
７３、７４    ハードディスク装置
７５    コントローラ
７６    多重器
７７    変調器
７８    マスタリング装置
８０    ピックアップ
８１    復調訂正部
８２、８４    ストリームスイッチ
８３    トラックバッファ
８５    システムバッファ
８６    デマルチプレクサ
８７    ＶＢＶバッファ
８８    ビデオデコーダ
８９    サブピクチャバッファ
９０    サブピクチャデコーダ
９２    オーディオバッファ
９３    オーディオデコーダ
９４    ＰＣＩバッファ
９５    ＰＣＩデコーダ
９６    ハイライトバッファ
９７    ハイライトデコーダ
９８    入力部
９９    ディスプレイ
１００    システムコントローラ
１０１    ドライブコントローラ
１０２    スピンドルモータ
１０３    スライダモータ
Ｓ1    記録装置
Ｓ2    再生装置
ＤＫ    光ディスク
ＳＴ    キューシート
Ｓr    圧縮多重信号
Ｓi    内容情報信号
Ｓac    アクセス情報信号
Ｓa    付加情報信号
Ｓcc    情報選択信号
Ｓm    ディスク記録信号
Ｓap    情報付加圧縮多重信号
Ｓp    検出信号
Ｓdm    復調信号
Ｓsw1、Ｓsw2    スイッチ信号
Ｓin    入力信号
Ｓdp    表示信号
Ｓcsl    シームレス制御信号
Ｓc    制御信号
Ｓlc    言語選択信号
Ｓca    ポーズ信号
Ｓch    ハイライト制御信号
Ｓhi    ハイライト信号
Ｓpci    ＰＣＩ情報信号
Ｓpc    ＰＣＩ信号
Ｓad    オーディオ信号
Ｓsp    副映像信号
Ｓv    ビデオ信号
Ｓvd    復調ビデオ信号
Ｓspd    復調副映像信号
Ｓadd    復調オーディオ信号
Ｓvp    画像信号
Ｓhid    復調ハイライト信号
Ｔt    タイムコード
Ｒ    記録情報
Ｐr    部分記録情報
【図１】
0004072547.tif 000002
【図２】
0004072547.tif 000003
【図３】
0004072547.tif 000004
【図４】
0004072547.tif 000005
【図５】
0004072547.tif 000006
【図６】
0004072547.tif 000007
【図７】
0004072547.tif 000008
【図８】
0004072547.tif 000009
【図９】
0004072547.tif 000010
【図１０】
0004072547.tif 000011
【図１１】
0004072547.tif 000012
【図１２】
0004072547.tif 000013
【図１３】
0004072547.tif 000014
【図１４】
0004072547.tif 000015
【図１５】
0004072547.tif 000016
【図１６】
0004072547.tif 000017
【図１７】
0004072547.tif 000018